(57)【要約】【課題】制御系を簡素化するとともに、安全性を向上させた電子機器を提供する。【解決手段】操作表示パネル３の閉止移動の際に操作表示パネル３と筐体パネル１２との間に障害物が挟まったときにその障害物が押し付けられて筐体パネル１２が変位することで障害物Ｆを検出する障害物検出手段２０を設けたものである。【選択図】図４
2009176390.tif 000002
【特許請求の範囲】
【請求項１】
機器本体の一つの面の外周を覆う筐体パネルに対して外部にスライド可能に取り付けられ、かつ前記一つの面を閉止する位置と前記一つの面の少なくとも一部を開放する位置とに亘って移動可能な操作表示パネルを備えた電子機器において、
前記操作表示パネルの閉止移動の際、当該操作表示パネルと前記筐体パネルとの間に障害物が挟まったときに当該障害物が押し付けられて前記筐体パネルが変位することで前記障害物を検出する障害物検出手段を設けたことを特徴とする電子機器。
【請求項２】
請求項１に記載の電子機器において、
前記筐体パネルの変位は、前記操作表示パネルと前記筐体パネルとの間に障害物が挟まったときに撓むことを特徴とする電子機器。
【請求項３】
請求項１に記載の電子機器において、
前記筐体パネルの変位は、前記操作表示パネルと前記筐体パネルとの間に障害物が挟まったときに直線移動することを特徴とする電子機器。
【請求項４】
請求項１に記載の電子機器において、
前記筐体パネルの変位は、前記操作表示パネルと前記筐体パネルとの間に障害物が挟まったときに回転移動することを特徴とする電子機器。
【請求項５】
請求項１に記載の電子機器において、
前記検出手段の検出時に前記操作表示パネルを閉止移動するモータを停止又は当該モータを逆回転して前記操作表示パネルを開放移動させることを特徴とする電子機器。
【請求項６】
機器本体の一つの面の外周を覆う筐体パネルに対して外部にスライド可能に取り付けられ、かつ前記一つの面を閉止する位置と前記一つの面の少なくとも一部を開放する位置とに亘って移動可能な操作表示パネルを備えた電子機器において、
前記操作表示パネルに、当該操作表示パネルの閉止移動の際に当該操作表示パネルと前記筐体パネルとの間に障害物が挟まったとき、当該障害物を検出する障害物検出手段を設けたことを特徴とする電子機器。
【請求項７】
請求項６に記載の電子機器において、
前記障害物検出手段は、静電スイッチであることを特徴とする電子機器。
【請求項８】
請求項６に記載の電子機器において、
前記障害物検出手段は、前記操作表示パネルと前記筐体パネルとの間に障害物が挟まったときに当該障害物が押し付けられて前記操作表示パネルが撓み、前記障害物を検出することを特徴とする電子機器。
【請求項９】
請求項６に記載の電子機器において、
前記検出手段の検出時に前記操作表示パネルを閉止移動するモータを停止又は当該モータを逆回転して前記操作表示パネルを開放移動させることを特徴とする電子機器。
【発明の詳細な説明】
【技術分野】
【０００１】
本願は、例えばオーディオ、ビジュアル機能とナビゲーション機能とが一体になったカーナビゲーション等の車載用電装機器等のような電子機器において、スライド可能な操作表示パネルを備えた電子機器の技術分野に属する。
【背景技術】
【０００２】
一般に、車両のインストルメントパネルには、電子機器としてのカーステレオ等が取り付けられる。カーステレオは、上記インストルメントパネルに取り付けられる機器本体と液晶ディスプレイ等の表示部や各種操作ボタンを有する操作表示パネルとを備えている。
【０００３】
機器本体は、ＣＤプレーヤやナビゲーション装置を構成するＣＤ−ＲＯＭプレーヤ等を内蔵している。操作表示パネルは、液晶ディスプレイ等に上記ナビゲーション装置における地図情報や、ＣＤプレーヤの再生状況を示す情報等を表示する。また、操作表示パネルは、上記ナビゲーション装置、ＣＤプレーヤの各種機能の動作指令を行う際に操作されるタッチスイッチや押圧ボタンが設けられている。
【０００４】
前述したカーステレオは、インストルメントパネルに装着する際にかかる設置スペースを抑制するために、機器本体の使用者に相対する面（以下前面と称する）に上記ＣＤ、ＣＤ−ＲＯＭを機器本体内に出し入れ自在とする挿入口を設けている。さらに、カーステレオは、上記前面を覆う位置と上記前面の少なくとも一部を開放する位置とに亘って、モータの回転駆動力により操作表示パネルをスライド可能としている。
【０００５】
ところで、上記のようにモータの回転駆動力によりスライドされる操作表示パネルにおいて、特許文献１に開示された発明では、操作表示パネルに指等の障害物が引っ掛かり操作表示パネルがスライドすることができなくなった場合の異常を、モータの回転駆動の有無により検出し、モータの回転駆動を停止し又はモータを逆回転駆動している。
【特許文献１】特開平５−６４３４９号公報
【発明の開示】
【発明が解決しようとする課題】
【０００６】
しかしながら、上述した特許文献１に開示された発明では、操作表示パネルに指等の障害物が引っ掛かり操作表示パネルがスライドすることができなくなった場合、モータの回転の有無を光学的に検出することにより異常を検出するようにしているので、検出手段等の制御系が複雑化する問題がある。
【０００７】
また、特許文献１に開示された発明では、指等の障害物が引っ掛かった場合、操作表示パネルの上側は、てこの原理と同様な力が作用するため、モータの回転駆動を停止するときに非常に大きな力が作用するものの、その安全対策が何等講じられていないのが現状である。
【０００８】
本願は、上記の事情を考慮してなされたもので、その課題の一例としては、制御系を簡素化するとともに、安全性を向上させた電子機器を提供することにある。
【課題を解決するための手段】
【０００９】
上記課題を解決するために、請求項１に記載の電子機器は、機器本体の一つの面の外周を覆う筐体パネルに対して外部にスライド可能に取り付けられ、かつ前記一つの面を閉止する位置と前記一つの面の少なくとも一部を開放する位置とに亘って移動可能な操作表示パネルを備えた電子機器において、前記操作表示パネルの閉止移動の際、当該操作表示パネルと前記筐体パネルとの間に障害物が挟まったときに当該障害物が押し付けられて前記筐体パネルが変位することで前記障害物を検出する障害物検出手段を設けたことを特徴とする。
【００１０】
上記課題を解決するために、請求項６に記載の電子機器は、機器本体の一つの面の外周を覆う筐体パネルに対して外部にスライド可能に取り付けられ、かつ前記一つの面を閉止する位置と前記一つの面の少なくとも一部を開放する位置とに亘って移動可能な操作表示パネルを備えた電子機器において、前記操作表示パネルに、当該操作表示パネルの閉止移動の際に当該操作表示パネルと前記筐体パネルとの間に障害物が挟まったとき、当該障害物を検出する障害物検出手段を設けたことを特徴とする。
【発明を実施するための最良の形態】
【００１１】
以下、本願の最良の実施形態を添付図面に基づいて説明する。なお、以下に説明する実施形態は、電子機器として例えばオーディオ、ビジュアル機能とナビゲーション機能とが一体になったカーナビゲーション等の車載用電装機器に対して本願を適用した場合の実施形態である。
【００１２】
（車載用電装機器の全体構成）
図１は本願の各実施形態を適用する車載用電装機器の外観を示す斜視図、図２は図１の操作表示パネルが前面の一部を開放した状態を示す斜視図、図３は図２の縦断面図である。
【００１３】
図１及び図２に示すように、電子機器としての車載用電装機器１は、車両のインストルメントパネルに装着される。車載用電装機器１は、機器本体２と、操作表示パネル３とを備えている。操作表示パネル３は、その両側面上方にローラ４が取り付けられている。
【００１４】
機器本体２は、箱状に形成された筐体１０と、図２中手前に位置する筐体１０の前方に設けられた一つの面としての前面１１と、この筐体１０内に収容される図示しないＣＤプレーヤ６等の再生装置と、操作表示パネル３を前面１１に対しスライド移動させる駆動機構５（図２にその一部を示す）とを備えている。前面１１には、その全ての辺に立設するように覆われて一体成形された複数の筐体パネル１２を備え、操作表示パネル３は、複数の筐体パネル１２によって形成された空間領域に外部から回動自在に収容される。
【００１５】
また、その収容された操作表示パネル３の両側に位置する筐体パネル１２の内面には、鉛直方向に延在する摺動溝としてのガイド溝１３が形成されている。このガイド溝１３は、筐体パネル１２の内面から凹状に形成されている。このガイド溝１３には、操作表示パネル３の両側面上方に突設したローラ４が摺動可能に係合される。
【００１６】
図示例では、再生装置としてＣＤプレーヤ６、ＭＤ（Mini disc）プレーヤ７、ナビゲーション装置を構成するＣＤ−ＲＯＭプレーヤ８とが筐体１０内に収容されている。なお、図示しないが、ラジオ放送を受信するＡＭ／ＦＭチューナ等やテレビ放送波を受信するテレビチューナ等を収容させてもよい。これらの再生装置や受信装置は、例えば、操作表示パネル３に設けられた押しボタン１４等を使用者が押圧することによって動作する。
【００１７】
前面１１には、図２に示すように、ＭＤプレーヤ７にＭＤを挿入するためのスリット１５と、ＣＤプレーヤ６及びＣＤ−ＲＯＭプレーヤ８にＣＤ及びＣＤ―ＲＯＭを挿入する挿入口１６ａ及び挿入口１６ｂとがそれぞれ設けられている。
【００１８】
駆動機構５は、図２に示すアーム１７と、後述するモータ等を備えている。アーム１７は、一方向に沿って延びた帯状に形成されている。アーム１７は、その長手方向に沿ってスライド自在に、筐体１０に支持されている。アーム１７は、筐体１０の両側壁内面に沿って２つ設けられている。また、各アーム１７の一端部には、図３に示すように孔１７ａが形成され、その孔１７ａには、操作表示パネル３の両側面下方付近に設けられたピン３ａが回転自在に嵌合されている。上記モータは、各アーム１７を筐体１０に対しスライド移動させる。つまり、モータの駆動力によって、各アーム１７は前面１１の下方に形成された図示しない貫通孔を通して筐体１０の内外方向に移動される。
【００１９】
前述した構成の駆動機構５は、上記モータからの駆動力を受けて、各アーム１７が筐体１０の内外方向に移動する。また、各アーム１７が筐体１０の内外方向に移動することで、操作表示パネル３の両側面上方に設けられたローラ４がガイド溝１３に沿って摺動する。
【００２０】
すなわち、モータからの駆動力を受けて各アーム１７が筐体１０の外方向に移動することにより操作表示パネル３は、その表面が上方に向くようにして倒され、筐体１０の前面１１の少なくとも一部を開放する位置（図２に示す）に移動される。また、アーム１７が筐体１０の内方向に移動することにより、倒された状態にある操作表示パネル３は前面１１を覆う位置（図１に示す）に移動され、ローラ４はガイド溝１３の上端部に位置付けられる。
【００２１】
なお、ローラ４は、円盤状に形成されかつ操作表示パネル３の両側面上方に軸芯周りに回転自在に設けられている。ローラ４は、前述したガイド溝１３に係合して、軸芯周りに回転することでガイド溝１３に沿って移動自在に設けられている。なお、ローラ４は、ガイド溝１３に沿って滑らかに摺動するようにガイド溝１３に対して極僅かな隙間をもって係合されている。また、ローラ４は、操作表示パネル３の側面から突出して設けられている。
【００２２】
操作表示パネル３は、液晶ディスプレイ（ＬＣＤ：Liquid Crystal Display）等からなる画像情報等を表示する表示パネル１８を備えている。操作表示パネル３は、表示パネル１８に、ＣＤ−ＲＯＭプレーヤ８によって再生された地図情報や、テレビチューナが受信したテレビ放送波の映像等を表示する。
【００２３】
また、操作表示パネル３は、その表面に押しボタン１４を複数設けている。押しボタン１４は、使用者により押圧されることにより操作される。これらの押しボタン１４が操作されることにより、筐体１０の内部に収容された各種再生装置等が動作するとともに、操作表示パネル３が前述したようにスライド移動される。
【００２４】
例えば、押しボタン１４のうちの選択ボタン（例えば、ＣＤ、ＭＤ等を選択するためのボタン）やＯＰＥＮボタンが押圧操作されると、操作表示パネル３が駆動機構５によりスライド移動される。すなわち、選択ボタンによりＭＤが選択されると、駆動機構によって操作表示パネル３が筐体１０の前面１１に形成されたスリット１５のみを開放する位置までスライド移動される。このスライド移動は、後述するマイコン等の制御手段が駆動機構５のモータの回転方向やその回転数を制御することにより行われる。
【００２５】
（第１実施形態）
図４（Ａ），（Ｂ）は本願の電子機器を適用した車載用電装機器の第１実施形態を示す部分断面概略図，正面概略図である。なお、本実施形態では、車載用電装機器の主な構成は、図１〜図３と同様であるため同一の部分には同一の符号を用いて説明する。その他の実施形態も同様とする。
【００２６】
本実施形態では、図４（Ａ），（Ｂ）に示すように筐体パネル１２が合成樹脂等の可撓性部材から成形され、その後面に張り出し片１９が固着され、筐体パネル１２と一体化されている。この張り出し片１９の底面近傍には、障害物検出手段としてのマイクロスイッチ２０が配置されている。このマイクロスイッチ２０のオン、オフ信号は、制御手段としてのマイコン２１に出力され、このマイコン２１によりモータドライバ２２を経て駆動機構５を駆動するモータ２３が停止するか、あるいは逆方向に回転するように制御される。
【００２７】
また、筐体パネル１２の天板部２４が図４（Ｂ）に示すように上方に弾性変形して撓んで変位した場合には、これと同時に張り出し片１９が上方に移動するように構成されている。これにより、張り出し片１９が上方に移動すると、張り出し片１９の底面により押圧されていたマイクロスイッチ２０の接点２０ａが張り出し片１９の底面から離間し、マイクロスイッチ２０がオフになる。一方、筐体パネル１２の天板部２４が撓んだ状態から元の状態に戻った場合は、張り出し片１９も元の位置に復帰する。
【００２８】
次に、本実施形態の作用を説明する。
【００２９】
まず、操作表示パネル３の閉止移動の際、操作表示パネル３の上面と筐体パネル１２の天板部２４との間に障害物としての使用者の指Ｆが挟まったとき、この指Ｆが押し付けられる反力によって図４（Ｂ）に示すように筐体パネル１２の天板部２４が上方に弾性変形して撓む。
【００３０】
すると、張り出し片１９も上方に移動し、マイクロスイッチ２０の接点２０ａに予め押圧されていた張り出し片１９の底面が接点２０ａから離間することで、マイクロスイッチ２０がオフになる。このマイクロスイッチ２０がオフになった信号は、マイコン２１に出力され、このマイコン２１によりモータドライバ２２を経て駆動機構５を駆動するモータ２３を停止させるか、あるいは逆方向に回転するように制御される。
【００３１】
ここで、モータ２３を停止させた場合は、操作表示パネル３のスライド移動が停止し、またモータ２３が逆方向に回転した場合は、操作表示パネル３が開放動作する。これにより、使用者の指Ｆは、操作表示パネル３の上面と筐体パネル１２の天板部２４との間に挟まった状態から開放されることになる。
【００３２】
このように本実施形態によれば、操作表示パネル３の閉止移動の際、操作表示パネル３の上面と筐体パネル１２の天板部２４との間に障害物としての使用者の指Ｆが挟まったとき、指Ｆが押し付けられて筐体パネル１２の天板部２４が上方に弾性変形して撓み、マイクロスイッチ２０がオフになることにより、モータ２３を停止させるか、あるいは逆方向に回転するように制御されるため、制御系を簡素化することができるとともに、安全性を向上させることが可能となる。
【００３３】
なお、本実施形態では、マイクロスイッチ２０の接点２０ａに張り出し片１９の底面を予め押圧させておき、接点２０ａから張り出し片１９の底面が離間することで、マイクロスイッチ２０がオフになるにしたが、その逆に二点鎖線で示すように接点２０ａに対して張り出し片１９の上面を予め離間させておき、接点２０ａに張り出し片１９の上面を押圧させることで、マイクロスイッチ２０をオンになるようにしてもよい。この場合でもモータ２３を停止させるか、あるいは逆方向に回転するように制御される。
【００３４】
（第２実施形態）
図５（Ａ），（Ｂ）は本願の電子機器を適用した車載用電装機器の第２実施形態を示す部分断面概略図，正面概略図である。なお、前記第１実施形態と同一又は対応する部分には、同一の符号を用いて説明する。その他の実施形態も同様とする。
【００３５】
本実施形態では、図５（Ａ），（Ｂ）に示すように筐体パネル１２は、その天板部２４が側板部２５に対して直線移動（変位）可能に取り付けられている。すなわち、天板部２４は側板部２５と分離して外部からの力により上下動可能に構成されている。また、天板部２４の底面近傍には、障害物検出手段としてのマイクロスイッチ２０が配置されている。
【００３６】
したがって、本実施形態によれば、操作表示パネル３の閉止移動の際、操作表示パネル３の上面と筐体パネル１２の天板部２４との間に使用者の指Ｆが挟まったとき、この指Ｆが押し付けられる反力によって筐体パネル１２の天板部２４が上方に直線移動（変位）して接点２０ａから天板部２４の下面が離間することで、マイクロスイッチ２０がオフになることにより、モータ２３を停止させるか、あるいは逆方向に回転するように制御されるため、制御系を簡素化することができるとともに、安全性を向上させることが可能となる。その他の構成及び作用は、前記第１実施形態と同様であるので、その説明を省略する。
【００３７】
（第３実施形態）
図６は本願の電子機器を適用した車載用電装機器の第３実施形態を示す部分断面概略図である。
【００３８】
本実施形態では、図６に示すように筐体パネル１２は、その天板部２４が側板部２５に対して回転移動（変位）可能に取り付けられている。すなわち、天板部２４は、側板部２５と分離構成されるとともに、側板部２５に固定された回転軸２６に対して回動可能に取り付けられている。また、天板部２４の上面近傍には、障害物検出手段としてのマイクロスイッチ２０が配置されている。
【００３９】
したがって、本実施形態によれば、操作表示パネル３の閉止移動の際、操作表示パネル３の上面と筐体パネル１２の天板部２４との間に使用者の指Ｆが挟まったとき、この指Ｆが押し付けられる反力によって筐体パネル１２の天板部２４が時計方向に回転して接点２０ａから張り出し片１９の上面が離間することで、マイクロスイッチ２０がオフになることにより、モータ２３を停止させるか、あるいは逆方向に回転するように制御されるため、制御系を簡素化することができるとともに、安全性を向上させることが可能となる。その他の構成及び作用は、前記第１実施形態と同様であるので、その説明を省略する。
【００４０】
（第４実施形態）
図７は本願の電子機器を適用した車載用電装機器の第４実施形態を示す部分断面概略図である。なお、本実施形態は、上記各実施形態と同様にマイコン２１、モータドライバ２２及びモータ２３が設けられているが、以下に説明する図７及び図８では省略してある。
【００４１】
本実施形態では、図７に示すように操作表示パネル３の上面に障害物検出手段としての静電スイッチ２７が設けられている。この静電スイッチ２７の検出信号は、マイコン２１に出力され、このマイコン２１によりモータドライバ２２を経て駆動機構５を駆動するモータ２３を停止させるか、あるいは逆方向に回転するように制御される。
【００４２】
したがって、本実施形態によれば、操作表示パネル３の閉止移動の際、操作表示パネル３の上面と筐体パネル１２の天板部２４との間に使用者の指Ｆが挟まり、使用者の指Ｆが操作表示パネル３の上面に接触すると、静電スイッチ２７が作動することにより、モータ２３を停止させるか、あるいは逆方向に回転するように制御されるため、制御系を簡素化することができるとともに、安全性を向上させることが可能となる。
【００４３】
なお、本実施形態は、上記各実施形態と組み合せれば、障害物を検出する手段の信頼性が高まり、安全性を一段と向上させることが可能となる。
【００４４】
（第５実施形態）
図８（Ａ），（Ｂ）は本願の電子機器を適用した車載用電装機器の第５実施形態を示す部分断面概略図，正面概略図である。
【００４５】
本実施形態では、図８（Ａ），（Ｂ）に示すように操作表示パネル３の上面部３ｂが合成樹脂等の可撓性部材から成形されている。この上面部３ｂの近傍には、障害物検出手段としてのマイクロスイッチ２０が配置されている。このマイクロスイッチ２０のオン、オフ信号は、マイコン２１に出力され、このマイコン２１によりモータドライバ２２を経て駆動機構５を駆動するモータ２３を停止させるか、あるいは逆方向に回転するように制御される。
【００４６】
したがって、本実施形態では、操作表示パネル３の閉止移動の際、操作表示パネル３の上面と筐体パネル１２の天板部２４との間に使用者の指Ｆが挟まったとき、この指Ｆが押し付けられる反力によって図８（Ｂ）に示すように操作表示パネル３の上面部３ｂが下方に弾性変形して撓む。
【００４７】
すると、上面部３ｂがマイクロスイッチ２０の接点２０ａを押圧し、マイクロスイッチ２０がオンになる。このマイクロスイッチ２０がオンになった信号は、マイコン２１に出力され、このマイコン２１によりモータドライバ２２を経て駆動機構５を駆動するモータ２３を停止させるか、あるいは逆方向に回転するように制御される。
【００４８】
このように本実施形態によれば、操作表示パネル３の閉止移動の際、操作表示パネル３の上面と筐体パネル１２の天板部２４との間に使用者の指Ｆが挟まったとき、この指Ｆが押し付けられる反力によって操作表示パネル３の上面部３ｂが下方に弾性変形して撓み、マイクロスイッチ２０がオンになることにより、モータ２３を停止させるか、あるいは逆方向に回転するように制御されるため、制御系を簡素化することができるとともに、安全性を向上させることが可能となる。
【００４９】
ここで、本実施形態は、第４実施形態と同様に上記第１〜第３実施形態と組み合せれば、障害物を検出する手段の信頼性が高まり、安全性を一段と向上させることが可能となる。
【００５０】
なお、本願は、上記各実施形態に限定することなく、種々の変更が可能である。例えば上記各実施形態では、本願を操作表示パネル３の閉止移動の際、操作表示パネル３の上面と筐体パネル１２の天板部２４との間に障害物としての使用者の指Ｆが挟まった場合について説明したが、これに限らず本願は、例えば操作表示パネル３の下面と筐体パネル１２の側板部２５との間に指Ｆ等の障害物が挟まった場合についても適用可能である。
【００５１】
また、上記各実施形態では、本願を車載用電装機器に適用した例について説明したが、これに限定することなく、機器本体の一つの面に対してスライド可能に取り付けられ、かつ一つの面を閉止する位置と一つの面を開放する位置とに亘って移動可能な操作表示パネルを備えた電子機器であれば、如何なる電子機器でも適用することができる。
【図面の簡単な説明】
【００５２】
【図１】図１は本願の各実施形態を適用する車載用電装機器の外観を示す斜視図である。
【図２】図１の操作表示パネルが前面の一部を開放した状態を示す斜視図である。
【図３】図２の縦断面図である。
【図４】（Ａ），（Ｂ）は本願の電子機器を適用した車載用電装機器の第１実施形態を示す部分断面概略図，正面概略図である。
【図５】（Ａ），（Ｂ）は本願の電子機器を適用した車載用電装機器の第２実施形態を示す部分断面概略図，正面概略図である。
【図６】本願の電子機器を適用した車載用電装機器の第３実施形態を示す部分断面概略図である。
【図７】本願の電子機器を適用した車載用電装機器の第４実施形態を示す部分断面概略図である。
【図８】（Ａ），（Ｂ）は本願の電子機器を適用した車載用電装機器の第５実施形態を示す部分断面概略図，正面概略図である。
【符号の説明】
【００５３】
１：車載用電装機器
２：機器本体
３：操作表示パネル
５：駆動機構
１０：筐体
１１：前面
１２：筐体パネル
１７：アーム
２０：マイクロスイッチ
２１：マイコン
２３：モータ
２４：天板部
２５：側板部
２７：静電スイッチ
【図１】
2009176390.tif 000003
【図２】
2009176390.tif 000004
【図３】
2009176390.tif 000005
【図４】
2009176390.tif 000006
【図５】
2009176390.tif 000007
【図６】
2009176390.tif 000008
【図７】
2009176390.tif 000009
【図８】
2009176390.tif 000010